(57)【要約】【課題】  日除け具本体は、複数のシート片が略重合状となるよう折畳め、よりコンパクトとなって、不使用時に邪魔にならず、保管し易く、折畳み展開動作が行い易く、取扱いが簡単で、使い勝手が良く、外観上の体裁も良く、太陽光をより確実に反射でき、構成簡素で、量産に適し、経済的に優れた自動車用日除け具を提供する。【解決手段】  自動車のフロントガラス部やリアガラス部等からの太陽光を遮るために用いる自動車用日除け具であって、複数のシート片２を谷折り線３や山折り線４を介して縦横に連設すると共に、複数のシート片２が略重合状に折畳み、展開自在となる日除け具本体１を形成し、日除け具本体１の表面に太陽光の適宜反射手段を設け、ルームミラー部分等を避けるように日除け具本体１の上辺中央部分の切断が可能となるよう構成する。【選択図】図１
0003106562.tif 000002
【実用新案登録請求の範囲】
【請求項１】
自動車のフロントガラス部やリアガラス部等からの太陽光を遮るために用いられる自動車用日除け具であって、複数のシート片が谷折り線や山折り線を介して縦横に連設されると共に、複数のシート片が略重合状に折畳み、展開自在となる日除け具本体を形成し、この日除け具本体の表面には、太陽光の適宜反射手段を設け、日除け具本体の上辺中央部分に予め適数の中央部破断線を設け、ルームミラー部分等を避けるように日除け具本体の上辺中央部分の切断が可能となるよう構成したことを特徴とする自動車用日除け具。
【請求項２】
日除け具本体の隅部に予め適数の隅部破断線を設け、フロントガラス部やリアガラス部等の隅部形状に対応するように日除け具本体の隅部の切断が可能となるよう構成したことを特徴とする請求項１記載の自動車用日除け具。
【考案の詳細な説明】
【技術分野】
【０００１】
本考案は、自動車のフロントガラス部やリアガラス部等からの太陽光を遮るために用いられる自動車用日除け具に係り、その不使用時にはコンパクトに折畳んでおけ、取扱いが簡単で、使い勝手が良く、しかも、フロントガラス部やリアガラス部等の種々の形状に対応させて簡単にセットでき、より確実な遮光効果が得られるように工夫した自動車用日除け具に関するものである。
【背景技術】
【０００２】
従来の自動車用日除け具は、例えば、特許文献１に示すような自動車用などの日よけ具等が提案されている。これは、アコーデオン式に折り畳み自在になった日よけ本体と、日よけ本体の端部に取付けられた結束バンドとからなり、折り畳んだ日よけ本体に結束バンドを巻回させて結束保持できるようになっいるものである。
【０００３】
【特許文献１】実開平１−６７１２０号公報
【考案の開示】
【考案が解決しようとする課題】
【０００４】
ところが、前述の如き従来の自動車用日除け具にあっては、アコーデオン式に折畳み自在であるため、ある程度小さく折畳むことは可能であるが、折畳み状態がかなりの大きさとなり、その不使用時には邪魔となる難点があった。
【０００５】
また、日よけ本体の上辺中央部分が予め凹設されていると共に、日よけ本体の上隅部が予め略円弧状に形成されているが、メーカーや、車種等の違いによって、フロントガラス部等の形状、寸法もいろいろと存在し、これら全てに対応させることが難しい問題点等もあった。
【０００６】
そこで、本考案は、前述の如き課題等を解消できて、折畳み状態時にはよりコンパクトとなり、外観上の体裁も良く、取扱い易く、しかも、構成が簡素で、量産に適し、経済的に優れた自動車用日除け具を提供できるようにすべく案出されたものである。
【課題を解決するための手段】
【０００７】
しかして、請求項１記載の自動車用日除け具にあっては、自動車のフロントガラス部やリアガラス部等からの太陽光を遮るために用いられる自動車用日除け具であって、複数のシート片２が谷折り線３や山折り線４を介して縦横に連設されると共に、複数のシート片２が略重合状に折畳み、展開自在となる日除け具本体１を形成し、この日除け具本体１の表面には、太陽光の適宜反射手段を設け、日除け具本体１の上辺中央部分に予め適数の中央部破断線６を設け、ルームミラー部分等を避けるように日除け具本体１の上辺中央部分の切断が可能となるよう構成する手段を採用した。
【０００８】
また、請求項２記載の自動車用日除け具にあっては、日除け具本体１の隅部に予め適数の隅部破断線７を設け、フロントガラス部やリアガラス部等の隅部形状に対応するように日除け具本体１の隅部の切断が可能となるよう構成する手段を採用した。
【考案の効果】
【０００９】
従って、請求項１記載の自動車用日除け具によれば、日除け具本体１は、複数のシート片２が略重合状となるよう折畳みでき、その折畳み状態がよりコンパクトとなり、その不使用時には邪魔とならず、保管し易いものとなる。しかも、構成が簡素で、量産に適し、経済的に優れた自動車用日除け具を提供できるようになる。
【００１０】
加えて、日除け具本体１の折畳み展開動作が行い易く、取扱いが簡単で、使い勝手が良く、外観上の体裁も良いものとなる。
【００１１】
特に、日除け具本体１の表面には、太陽光の適宜反射手段を設けたので、太陽光をより確実に反射させることができるようになる。
【００１２】
更に、日除け具本体１の上辺中央部分に予め設けた適数の中央部破断線６を利用して、ルームミラー部分等を避けるように日除け具本体１の上辺中央部分を切断できるようになり、フロントガラス部等の種々の形状に対応させて簡単にセットでき、より確実な遮光効果が得られるようになる。
【００１３】
また、請求項２記載の自動車用日除け具によれば、日除け具本体１の隅部に予め設けた適数の隅部破断線７を利用して、フロントガラス部やリアガラス部等の隅部形状に対応するように日除け具本体１の隅部を切断できるようになり、フロントガラス部やリアガラス部等の種々の形状に対応させて簡単にセットでき、より確実な遮光効果が得られるようになる。
【考案を実施するための最良の形態】
【００１４】
以下、本考案を図示例に基づいて説明すると、次の通りである。
本考案は、主に、自動車のフロントガラス部やリアガラス部等からの太陽光を遮るために用いられる自動車用日除け具である。
【００１５】
そして、この自動車用日除け具は、複数の略矩形状（例えば、平行四辺形状、台形状、或いは長方形状）を呈するシート片２が谷折り線３や山折り線４を介して縦横に連設（例えば、三行八列に連設）されると共に、複数のシート片２が略重合状に折畳み、展開自在となるよう形成され、且つ展開状態が全体略矩形状を呈する日除け具本体１によって構成されている。
また、日除け具本体１の表面には、太陽光の適宜反射手段が設けられている。
【００１６】
更に、日除け具本体１の上辺中央部分には、予め適数の中央部破断線６を設けて、ルームミラー部分等を避けるように日除け具本体１の上辺中央部分の切断が可能となるよう構成されている。
【００１７】
加えて、日除け具本体１の隅部には、予め適数の隅部破断線７を設けて、フロントガラス部やリアガラス部等の隅部形状に対応するように日除け具本体１の隅部の切断が可能となるよう構成されている。
【実施例】
【００１８】
前記日除け具本体１は、例えば、適宜紙材や、適宜合成樹脂製シート材や、適宜金属製シート材や、或いは、これらの複合材等によって、全体略等脚台形状（或いは、その他の形状でも良い）に形成され、軽量で、耐久性、断熱性、耐熱性等に優れたものが利用される。
【００１９】
しかも、この日除け具本体１に複数の谷折り線３と山折り線４とを略縦横方向に沿って適宜配することで、複数のシート片２が形成され、このシート片２夫々が重なるように折畳め、更に、この折畳み状態からスムーズに展開状態に移行できるよう構成されている。
【００２０】
ところで、谷折り線３と山折り線４が設けられている図示例の日除け具本体１は、例えば、頂点及び隣合った２側辺を共有させた状態で略矢羽根状に配置された４個の平行四辺形で構成された基本領域の集合で作られ、矢羽根方向と交差する方向の側辺のうち矢羽根方向に隣合ったものどうしが相反するように且つ矢羽根方向に対し直角な方向に隣合ったものどうしが同方向に山折り（山折り線４）、谷折り（谷折り線３）とされ、矢羽根方向に平行な側辺のうち矢羽根方向に隣合ったものどうし並びに矢羽根方向に直角な方向に隣合ったものどうしが相反するように山折り（山折り線４）、谷折り（谷折り線３）に折畳まれるものである。しかも、日除け具本体１の展開作業や、折畳み作業等がよりスムーズに行えるように形成してある。
【００２１】
日除け具本体１の表面に設けられる太陽光の適宜反射手段は、例えば、日除け具本体１表面に反射性の優れた適宜塗装を施したり、或いは、反射性の優れた適宜シート材を接着したり、或いは、日除け具本体１自身を反射性の優れた材料で形成すること等によって構成される。
尚、日除け具本体１の表面には、適宜キャラクターや宣伝広告や、その他を印刷しておいても良い。
【００２２】
前記中央部破断線６は、例えば、ミシン目状の破断切込線等によって構成されると共に、深さや幅の異なる複数の略溝形状に構成されており、使用する自動車のルームミラー部分に対応するものを選択して比較的簡単に破断できるよう構成されている。すなわち、この中央部破断線６での破断によって、ルームミラー部を避けてフロントガラス部分に自動車用日除け具を合致せしめてセットできるようにしたものである。
【００２３】
尚、中央部破断線６は、例えば、日除け具本体１に描出した線によって構成されたものでも良い。すなわち、深さや幅の異なる複数の略溝形状の線を設けておき、使用する自動車のルームミラー部分に対応するものを選択し、これをハサミ等によって切断できるよう構成したものでも良い。
【００２４】
前記隅部破断線７は、例えば、ミシン目状の破断切込線等によって構成されると共に、曲率半径の異なる複数の略円弧状に構成されており、使用する自動車のフロントガラス部或いはリアガラス部の隅部に対応するものを選択して比較的簡単に破断できるよう構成されている。すなわち、この隅部破断線７での破断によって、フロントガラス部分或いはリアガラス部分に自動車用日除け具を合致せしめてセットできるようにしたものである。
【００２５】
尚、隅部破断線７は、例えば、日除け具本体１に描出した線によって構成されたものでも良い。すなわち、曲率半径の異なる複数の略円弧状の線を設けておき、使用する自動車のフロントガラス部或いはリアガラス部の隅部に対応するものを選択し、これをハサミ等によって切断できるよう構成したものでも良い。
【００２６】
加えて、前記日除け具本体１には、これをフロントガラス部或いはリアガラス部により確実に仮固定できるようにした適宜仮固定手段を付設しても良い。具体的には、例えば、適宜係止具や適宜吸着具等を付設しておき、これらによって自動車用日除け具を所望位置に確実に且つ安定的に配置しておけるようにする。
【００２７】
ところで、本考案の自動車用日除け具の具体的構成、形状、寸法、材質、日除け具本体１の具体的構成、形状、寸法、材質、具体的な折畳み手段、シート片２の具体的構成、形状、寸法、材質、配設状態、数、谷折り線３の具体的構成、形状、寸法、配設位置、数、山折り線４の具体的構成、形状、寸法、配設位置、数、中央部破断線６の具体的構成、形状、寸法、配設位置、数、隅部破断線７の具体的構成、形状、寸法、配設位置、数、仮固定手段の具体的な構成、配設位置、数等は図示例のもの等に限定されることなく、適宜自由に設定、変更できるものである。
【図面の簡単な説明】
【００２８】
【図１】本考案の自動車用日除け具を例示する展開図である。
【図２】本考案の自動車用日除け具を例示する折畳み状態の側面図である。
【符号の説明】
【００２９】
１    日除け具本体
２    シート片
３    谷折り線
４    山折り線
６    中央部破断線
７    隅部破断線
【図１】
0003106562.tif 000003
【図２】
0003106562.tif 000004